(57)【特許請求の範囲】
【請求項１】
基地局とユーザ装置とを備える移動通信システムにおいて実行される能力情報通知方法であって、
前記ユーザ装置が、当該ユーザ装置においてサポートされる１又は複数の周波数バンドを示す第１の能力情報、及び、当該ユーザ装置において所定の機能がサポートされていることを示す第２の能力情報を前記基地局に通知する通知ステップと、
前記基地局が、前記第１の能力情報と前記第２の能力情報を受信し、当該第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定ステップとを備え、
前記所定の機能は、所定の変調方式である
ことを特徴とする能力情報通知方法。
【請求項２】
前記ユーザ装置が前記所定の閾値よりも大きい上限値を持つ周波数バンドに対して前記所定の機能をサポートする場合に、前記通知ステップにおいて、前記ユーザ装置は、当該周波数バンドに対して前記所定の機能をサポートすることを示す第３の能力情報を前記基地局に通知する
ことを特徴とする請求項１に記載の能力情報通知方法。
【請求項３】
前記ユーザ装置が前記所定の閾値よりも大きい上限値を持つ周波数バンドにおける１つ又は複数の帯域幅に対して前記所定の機能をサポートする場合に、前記通知ステップにおいて、前記ユーザ装置は、当該周波数バンドにおける前記１つ又は複数の帯域幅に対して前記所定の機能をサポートすることを示す第３の能力情報を前記基地局に通知する
ことを特徴とする請求項１に記載の能力情報通知方法。
【請求項４】
前記所定の変調方式は、下り通信における２５６ＱＡＭであることを特徴とする請求項１ないし３のうちいずれか１項に記載の能力情報通知方法。
【請求項５】
前記所定の閾値は、所定のバンドの周波数帯域の上限値であることを特徴とする請求項１ないし４のうちいずれか１項に記載の能力情報通知方法。
【請求項６】
前記所定のバンドはバンド４３であることを特徴とする請求項５に記載の能力情報通知方法。
【請求項７】
基地局とユーザ装置とを備える移動通信システムにおいて使用される前記ユーザ装置であって、
前記ユーザ装置においてサポートされる１又は複数の周波数バンドを示す第１の能力情報、及び、当該ユーザ装置において所定の機能がサポートされていることを示す第２の能力情報を前記基地局に通知する能力情報通知部を備え、
前記第２の能力情報は、前記第１の能力情報で示される前記１又は複数の周波数バンドのうち、所定の閾値よりも小さい上限値を持つ周波数バンドに対して前記所定の機能が前記ユーザ装置においてサポートされていることを示し、
前記所定の機能は、所定の変調方式である
ことを特徴とするユーザ装置。
【請求項８】
基地局とユーザ装置とを備える移動通信システムにおいて使用される前記基地局であって、
前記ユーザ装置から、当該ユーザ装置においてサポートされる１又は複数の周波数バンドを示す第１の能力情報、及び、当該ユーザ装置において所定の機能がサポートされていることを示す第２の能力情報を受信する受信部と、
前記第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定部とを備え、
前記所定の機能は、所定の変調方式である
ことを特徴とする基地局。
【発明の詳細な説明】
【技術分野】
【０００１】
本発明は、ＬＴＥ等の移動通信システムにおけるユーザ装置ＵＥが、基地局ｅＮＢに自身の能力情報を通知する技術に関連するものである。
【背景技術】
【０００２】
ＬＴＥ（ＬＴＥ−Ａｄｖａｎｃｅｄを含む）システムにおいて、ユーザ装置ＵＥは、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。例えば、非特許文献１には、ＲＲＣ接続状態のユーザ装置ＵＥが基地局ｅＮＢからＵＥ能力要求（ＵＥＣａｐａｂｉｌｉｔｙＥｎｑｕｉｒｙ）を受信した場合に、ユーザ装置ＵＥが基地局ｅＮＢに対してＵＥ能力情報（ＵＥＣａｐａｂｉｌｉｔｙＩｎｆｏｒｍａｔｉｏｎ）を送信することが記載されている。
【０００３】
ユーザ装置ＵＥから基地局ｅＮＢに通知する能力情報には様々な種類の情報があるが、ユーザ装置ＵＥから基地局ｅＮＢに通知する能力情報として、例えば、ユーザ装置ＵＥがサポートする周波数バンド、帯域幅等がある。
【先行技術文献】
【非特許文献】
【０００４】
【非特許文献１】３ＧＰＰ  ＴＳ  ３６．３３１  Ｖ１２．３．０  （２０１４−０９）
【発明の概要】
【発明が解決しようとする課題】
【０００５】
ユーザ装置ＵＥにおける機能が増える、あるいは、複雑な機能が導入されることにより、能力情報通知のための制御信号（パラメータ等）の数が増加する。制御信号の数が増加することはネットワーク（ＮＷ）負荷の増加につながるため、能力情報通知のための制御信号数をできるだけ増加させないことが望ましい。
【０００６】
制御信号数をできるだけ増加させないようにするために、ある機能に関する能力情報を通知する場合に、当該機能の実装難易度が周波数バンドに依存する場合であっても、周波数バンド毎の能力情報通知ではなく、ＵＥ単位（ｐｅｒ  ＵＥ）での能力情報通知を行うことが考えられる。しかし、このような通知方法を可能とするようにＣａｐａｂｉｌｉｔｙの信号を規定した場合、ユーザ装置ＵＥが当該機能を有することをＮＷに通知するために、当該ユーザ装置ＵＥは、サポートする全ての周波数バンドで当該機能を備えることを強いられる。全ての周波数バンドで容易に実装可能な機能であれば問題は生じないが、当該機能について実装難易度が高い周波数バンドがある場合、当該機能をサポートするユーザ装置ＵＥ自体が商用に出てくることが遅延する可能性がある。
【０００７】
上記の機能の例として、下り２５６ＱＡＭ（ｑｕａｄｒａｔｕｒｅ  ａｍｐｌｉｔｕｄｅ  ｍｏｄｕｌａｔｉｏｎ）についての議論が行われている。変調方式として下り２５６ＱＡＭを導入することで、下り受信の高速化を図ることができるが、一般に、信号点の数が少ない１６ＱＡＭや６４ＱＡＭに比べて実装の難易度は増加する。特に、高周波数帯において実装の難易度が高くなる。
【０００８】
通信事業者の観点では、ユーザに高速なサービスを提供し、かつ、能力情報通知のための制御信号数を削減するために、ユーザ装置ＵＥが、サポートする全ての周波数バンドで下り２５６ＱＡＭをサポートするよう、ＵＥ単位での下り２５６ＱＡＭ能力通知とすることが望ましいと考えられる。しかし、高周波数帯で下り２５６ＱＡＭを実装することは難しい可能性があることから、ＵＥのベンダ側の観点では、ＵＥ単位での下り２５６ＱＡＭ能力通知ではなく、周波数バンド単位等での下り２５６ＱＡＭ能力通知が望ましいと考えられる。
【０００９】
本発明は上記の点に鑑みてなされたものであり、移動通信システムにおいて、ユーザ装置が、所定の機能についての能力情報を適切に基地局に通知することを可能とする技術を提供することを目的とする。
【課題を解決するための手段】
【００１０】
本発明の実施の形態によれば、基地局とユーザ装置とを備える移動通信システムにおいて実行される能力情報通知方法であって、
前記ユーザ装置が、当該ユーザ装置においてサポートされる１又は複数の周波数バンドを示す第１の能力情報、及び、当該ユーザ装置において所定の機能がサポートされていることを示す第２の能力情報を前記基地局に通知する通知ステップと、
前記基地局が、前記第１の能力情報と前記第２の能力情報を受信し、当該第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定ステップとを備え、
前記所定の機能は、所定の変調方式である
ことを特徴とする能力情報通知方法が提供される。
【００１１】
また、本発明の実施の形態によれば、基地局とユーザ装置とを備える移動通信システムにおいて使用される前記ユーザ装置であって、
前記ユーザ装置においてサポートされる１又は複数の周波数バンドを示す第１の能力情報、及び、当該ユーザ装置において所定の機能がサポートされていることを示す第２の能力情報を前記基地局に通知する能力情報通知部を備え、
前記第２の能力情報は、前記第１の能力情報で示される前記１又は複数の周波数バンドのうち、所定の閾値よりも小さい上限値を持つ周波数バンドに対して前記所定の機能が前記ユーザ装置においてサポートされていることを示し、
前記所定の機能は、所定の変調方式である
ことを特徴とするユーザ装置が提供される。
【００１２】
また、本発明の実施の形態によれば、基地局とユーザ装置とを備える移動通信システムにおいて使用される前記基地局であって、
前記ユーザ装置から、当該ユーザ装置においてサポートされる１又は複数の周波数バンドを示す第１の能力情報、及び、当該ユーザ装置において所定の機能がサポートされていることを示す第２の能力情報を受信する受信部と、
前記第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定部とを備え、
前記所定の機能は、所定の変調方式である
ことを特徴とする基地局が提供される。
【発明の効果】
【００１３】
本発明の実施の形態によれば、移動通信システムにおいて、ユーザ装置が、所定の機能についての能力情報を適切に基地局に通知することを可能とする技術が提供される。
【図面の簡単な説明】
【００１４】
【図１】本発明の実施の形態に係る通信システムの構成図である。
【図２】本発明の実施の形態に係る通信システムの動作を示すシーケンス図である。
【図３】本実施の形態の概要を説明するための図である。
【図４】実施例１における仕様書変更例を示す図である。
【図５】実施例１における基地局ｅＮＢの動作例を説明するためのフローチャートである。
【図６】実施例２における仕様書変更例を示す図である。
【図７】実施例２における基地局ｅＮＢの動作例を説明するためのフローチャートである。
【図８】ユーザ装置ＵＥの構成図である。
【図９】基地局ｅＮＢの構成図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、下り２５６ＱＡＭに関する能力情報通知の例を説明しているが、これは一例に過ぎず、周波数バンドの高低に応じて実装難易度に差が出るような他の機能でも本発明を適用可能である。当該他の機能は、２５６ＱＡＭ以外の変調方式でもよいし、変調方式以外の機能でもよい。また、本実施の形態では、ＬＴＥの移動通信システムを対象とするが、本発明はＬＴＥに限らず他の移動通信システムにも適用可能である。また、本明細書及び特許請求の範囲において、「ＬＴＥ」の用語は３ＧＰＰのＲｅｌ−８以降のＲｅｌの方式の意味で使用する。
【００１６】
（システム全体構成）
図１に、本発明の実施の形態に係る通信システムの構成図を示す。図１に示すように、本実施の形態の通信システムは、基地局ｅＮＢとユーザ装置ＵＥを含む。図１には、基地局ｅＮＢとユーザ装置ＵＥが１つずつ示されているが、これは例であり、それぞれ複数あってもよい。
【００１７】
本実施の形態において、図２に示すように、ユーザ装置ＵＥは、ステップ１０１で基地局ｅＮＢから送信されるＵＥ能力情報要求（例：ＵＥ  ｃａｐａｂｉｌｉｔｙ  ｅｎｑｕｉｒｙ）に基づいて、基地局ｅＮＢに対してＵＥ能力情報を送信する（ステップ１０２）。
【００１８】
なお、図２に示す通知方法は例であり、例えば、ユーザ装置ＵＥは、基地局ｅＮＢからＵＥ能力情報要求を受信することなくＵＥ能力情報を基地局ｅＮＢに通知してもよい。以下、便宜上、ユーザ装置ＵＥと基地局ｅＮＢをそれぞれＵＥ、ｅＮＢと記述する。
【００１９】
（能力情報通知方法の概要）
本実施の形態では、ＵＥは、サポートしている周波数バンド等の能力情報に加え、下り２５６ＱＡＭ（以下、２５６ＱＡＭと記述する）をサポートしていることを示す能力情報をｅＮＢに通知する。具体的には以下のような通知方法を採用している。
【００２０】
本実施の形態では、ある周波数バンドの上限値が閾値として定められる。当該上限値は、特定の周波数バンドの上限値に限られないが、本実施の形態では、例として、当該上限値をＢａｎｄ４３（３．６−３．８ＧＨｚ）の上限値である３．８ＧＨｚとしている。
【００２１】
各ＵＥは、自身がサポートする周波数バンドの上限値と３．８ＧＨｚとの大小関係、及び２５６ＱＡＭの周波数バンド毎のサポート内容に応じて２５６ＱＡＭの能力情報通知を行う。
【００２２】
具体的には、ＵＥは、自身がサポートする全ての周波数バンドのうち、上限値が３．８ＧＨｚ以下の全ての周波数バンドについて２５６ＱＡＭに対応している（２５６ＱＡＭをサポートしている）場合に、２５６ＱＡＭに対応していることを示す情報（ＵＥ単位の情報）をｅＮＢに通知する。なお、２５６ＱＡＭに対応していることを示す情報をｅＮＢに通知するにあたり、ＵＥが３．８ＧＨｚ以下の全ての周波数バンドについて実際に２５６ＱＡＭに対応していることは必須ではない。
【００２３】
また、ＵＥは、サポートする全ての周波数バンドのうち、上限値が３．８ＧＨｚよりも大きい各周波数バンドについて、２５６ＱＡＭに対応している場合に、対応していることを示す情報（周波数バンド単位の情報）をｅＮＢに通知する。上限値が３．８ＧＨｚよりも大きい周波数バンドについては、更に細分化して、ＵＥがサポートする各周波数バンドに対して、ＵＥがサポートする帯域幅毎に、２５６ＱＡＭに対応している場合に、対応していることを示す情報（周波数バンド＋帯域幅単位の情報）をｅＮＢに通知することとしてもよい。
【００２４】
なお、ＵＥにおいて、サポートする周波数バンド、帯域幅、２５６ＱＡＭの能力は、一般に固定であり、２５６ＱＡＭ対応に関してｅＮＢに通知する能力情報は、どのセルにおいても同じであるから、ＵＥは、２５６ＱＡＭ対応に関してｅＮＢに通知する能力情報を記憶部（メモリ等）に予め保持しておき、能力情報を通知する際に、記憶部から当該能力情報を読み出してｅＮＢに通知することとしてよい。もしくは、ＵＥは、能力情報を通知する度に、自身がサポートする周波数バンドの上限値と３．８ＧＨｚとを比較し、上記のルールに従って２５６ＱＡＭ対応に関してｅＮＢに通知する能力情報（パラメータ）を作成し、当該能力情報をｅＮＢに通知することとしてもよい。
【００２５】
ｅＮＢは、ＵＥからＵＥ単位の２５６ＱＡＭ対応能力情報を受信した場合、当該ＵＥについて、当該ＵＥがサポートする周波数バンドのうち、３．８ＧＨｚ以下の上限値を持つ周波数バンド全てで２５６ＱＡＭに対応しているとみなす。また、ｅＮＢは、ＵＥから周波数バンド単位もしくは（周波数バンド＋帯域幅）単位の２５６ＱＡＭ対応能力情報を受信した場合、通知された周波数バンドもしくは周波数バンド＋帯域幅について、２５６ＱＡＭに対応しているとみなす。
【００２６】
上述した能力情報通知方法の例を図３に示す。図３では、上限値としてＵが定められている。図３（ａ）のケースでは、ＵＥ−Ａは、ＵＥ単位の情報として２５６ＱＡＭに対応していることを示す能力情報をｅＮＢに通知する。この場合、ｅＮＢにおいて、ＵＥは、サポートする周波数バンドのうち、上限値がＵ以下の全周波数バンドで２５６ＱＡＭに対応していると判断される。
【００２７】
図３（ｂ）のケースでは、ＵＥ−Ｂは、周波数バンド単位の情報として、バンドＸで２５６ＱＡＭに対応していることを示す能力情報をｅＮＢに通知する。この場合、ｅＮＢは、ＵＥがバンドＸで２５６ＱＡＭに対応していると判断する。
【００２８】
図３（ｃ）のケースでは、ＵＥ−Ｃは、ＵＥ単位の情報として、２５６ＱＡＭに対応していることを示す能力情報と、周波数バンド単位の情報として、バンドＸで２５６ＱＡＭに対応していることを示す能力情報とをｅＮＢに通知する。この場合、ｅＮＢにおいて、ＵＥが、当該ＵＥにおいてサポートする周波数バンドのうち、上限値がＵ以下の全周波数バンドで２５６ＱＡＭに対応しているとともに、バンドＸで２５６ＱＡＭに対応していると判断される。
【００２９】
上記のように、本実施の形態では、多くのＵＥで２５６ＱＡＭの実装が可能と考えられる周波数バンドではＵＥ単位（ｐｅｒ  ＵＥ）での２５６ＱＡＭ対応能力通知を行い、
２５６ＱＡＭを実装するＵＥが少ないと考えられる高周波数のバンドでは、バンド単位（あるいはバンド＋帯域幅単位）で２５６ＱＡＭ対応能力通知を行うことを可能としているため、高周波数のバンドをサポートする全てのＵＥに高周波数のバンドでの２５６ＱＡＭ対応を強いることなく、かつ、ネットワークにおける制御信号数をあまり増加させずに２５６ＱＡＭ対応能力通知を行うことが可能となる。つまり、周波数バンドの違いによる２５６ＱＡＭ実装の困難さを考慮した能力情報通知が可能となる。
【００３０】
以下、より具体的な例である実施例１、実施例２を説明する。実施例１と実施例２において、２５６ＱＡＭ対応能力情報の通知方法は基本的にこれまでに説明した方法と同じであるが、実施例１及び実施例２では、能力情報の通知に用いる信号の具体例が示される。
【００３１】
（実施例１）
図４に、実施例１において、通信システムが準拠するべき３ＧＰＰ仕様書（３ＧＰＰ  ＴＳ  ３６．３３１）の記載例（抜粋）を示す。図４において既存の仕様書である非特許文献１から変更される箇所に下線が引かれている。
【００３２】
図４（ａ）に示すように、情報要素として主に「ｄｌ−２５６ＱＡＭ−ＬｏｗＦｒｅｑ」と「ｄｌ−２５６ＱＡＭ−ＨｉｇｈＦｒｅｑ」が追加されている。
【００３３】
図４（ｂ）に示すように、「ｄｌ−２５６ＱＡＭ−ＬｏｗＦｒｅｑ」は、上限値が３．８ＧＨｚ未満（「以下」でもよい）の全サポートバンドにおいて、ＵＥが下り２５６ＱＡＭに対応しているか否かを示す。
【００３４】
また、「ｄｌ−２５６ＱＡＭ−ＨｉｇｈＦｒｅｑ」は、上限値が３．８ＧＨｚよりも大きい（「以上」でもよい）サポートバンドにおける各バンドについて、ＵＥが下り２５６ＱＡＭに対応しているか否かを示す。
【００３５】
次に、図５に示すフローチャートを参照して、ＵＥから能力情報を受信するｅＮＢの動作例を説明する。この動作例では、２５６ＱＡＭに対応していることを示す情報として、「ｄｌ−２５６ＱＡＭ−ＬｏｗＦｒｅｑ」と「ｄｌ−２５６ＱＡＭ−ＨｉｇｈＦｒｅｑ」が用いられている。
【００３６】
ステップ２０１において、ｅＮＢは、ＵＥからＵＥ−ＥＵＴＲＡ−Ｃａｐａｂｉｌｉｔｙでｄｌ−２５６ＱＡＭ−ＬｏｗＦｒｅｑを受信したかどうかを判定する。受信している場合（ステップ２０１のＹｅｓ）、ｅＮＢは、ステップ２０２〜２０５の処理を、ＵＥによりサポートされている周波数バンド毎に繰り返し行う。なお、ＵＥの「サポートされている周波数バンド」の情報は、ＵＥ−ＥＵＴＲＡ−Ｃａｐａｂｉｌｉｔｙのメッセージで通知されているので、ｅＮＢは「サポートされている周波数バンド」の情報を把握できる。
【００３７】
ステップ２０２において、ｅＮＢは、着目している周波数バンドの上限値が３．８ＧＨｚ以下であるかどうかの判定を行う。当該周波数バンドの上限値が３．８ＧＨｚ以下であれば（ステップ２０２のＹｅｓ）、ＵＥが当該周波数バンドで２５６ＱＡＭに対応していると判断される（ステップ２０３）。
【００３８】
ステップ２０２での判定結果がＮｏである場合、ステップ２０４に進み、ｅＮＢは、ＵＥからＵＥ−ＥＵＴＲＡ−Ｃａｐａｂｉｌｉｔｙで当該周波数バンドに対応するｄｌ−２５６ＱＡＭ−ＨｉｇｈＦｒｅｑを受信しているかどうかを判定する。当該周波数バンドに対応するｄｌ−２５６ＱＡＭ−ＨｉｇｈＦｒｅｑを受信している場合（ステップ２０４のＹｅｓ）、ＵＥが当該周波数バンドで２５６ＱＡＭに対応していると判断される（ステップ２０５）。ステップ２０３の後、ステップ２０５の後、もしくは、ステップ２０４の判定がＮｏの場合、次の周波数バンドに進み、ステップ２０２からの処理が行われる。
【００３９】
ステップ２０１において、ｅＮＢがＵＥからｄｌ−２５６ＱＡＭ−ＬｏｗＦｒｅｑを受信していない場合（ステップ２０１のＮｏ）、ｅＮＢは、ある周波数バンド（１つ又は複数）についてのｄｌ−２５６ＱＡＭ−ＨｉｇｈＦｒｅｑを受信したかどうか判定し（ステップ２０６）、受信している場合に、ＵＥが当該周波数バンド（１つ又は複数）で２５６ＱＡＭに対応していると判断される（ステップ２０７）。
【００４０】
図５のステップ２０４、２０５、２０６、２０７での処理は、周波数バンド単位であるが、前述したように、ここでの処理を（周波数バンド＋帯域幅）単位で行うこととしてもよい。なお、あるサポート周波数バンドにおいてサポートされる帯域幅の情報も、ＵＥ−ＥＵＴＲＡ−Ｃａｐａｂｉｌｉｔｙで通知される。
【００４１】
（実施例２）
実施例２では、ＵＥによりサポートされる周波数バンドのうち、３．８ＧＨｚ以上の上限値を持つ周波数バンドについて、２５６ＱＡＭをサポートする帯域幅をＵＥからｅＮＢに通知することとしている。実施例２において、３．８ＧＨｚ以下（未満でもよい）の上限値の周波数バンドについての２５６ＱＡＭ対応能力通知方法は実施例１と同じであり、「ｄｌ−２５６ＱＡＭ−ＬｏｗＦｒｅｑ」を用いてＵＥ単位（ｐｅｒ  ＵＥ）で通知が行われる。
【００４２】
図６に、実施例２において、通信システムが準拠するべき３ＧＰＰ仕様書（３ＧＰＰ  ＴＳ  ３６．３３１）の記載例（抜粋）を示す。図６において既存の仕様書である非特許文献１から変更される箇所に下線が引かれている。
【００４３】
図６（ａ）に示すように、情報要素として主に「ｄｌ−２５６ＱＡＭ−ＬｏｗＦｒｅｑ」と「ｓｕｐｐｏｒｔｅｄＢＷ−Ｌｉｓｔ−２５６ＱＡＭ−ＨｉｇｈＦｒｅｑ」が追加されている。
【００４４】
図６（ｂ）に示すように、「ｄｌ−２５６ＱＡＭ−ＬｏｗＦｒｅｑ」は、上限値が３．８ＧＨｚ未満（「以下」でもよい）の全サポートバンドにおいて、ＵＥが下り２５６ＱＡＭに対応しているか否かを示す。
【００４５】
また、「ｓｕｐｐｏｒｔｅｄＢＷ−Ｌｉｓｔ−２５６ＱＡＭ−ＨｉｇｈＦｒｅｑ」は、上限値が３．８ＧＨｚよりも大きい（「以上」でもよい）サポートバンドにおける各バンドについて、下り２５６ＱＡＭに対応している帯域幅（ｃｈａｎｎｅｌ  ｂａｎｄｗｉｄｔｈ）を示す。例えば、ＵＥがあるバンドについて、１０ＭＨｚと１５ＭＨｚの帯域幅で２５６ＱＡＭに対応している場合、当該バンドに対応付けられた「ｓｕｐｐｏｒｔｅｄＢＷ−Ｌｉｓｔ−２５６ＱＡＭ−ＨｉｇｈＦｒｅｑ」により、１０ＭＨｚと１５ＭＨｚがリストとして通知される。
【００４６】
次に、図７に示すフローチャートを参照して、ＵＥから能力情報を受信するｅＮＢの動作例を説明する。この動作例では、２５６ＱＡＭに対応していることを示す能力情報として、「ｄｌ−２５６ＱＡＭ−ＬｏｗＦｒｅｑ」と「ｓｕｐｐｏｒｔｅｄＢＷ−Ｌｉｓｔ−２５６ＱＡＭ−ＨｉｇｈＦｒｅｑ」が用いられている。
【００４７】
ステップ３０１において、ｅＮＢは、ＵＥからＵＥ−ＥＵＴＲＡ−Ｃａｐａｂｉｌｉｔｙでｄｌ−２５６ＱＡＭ−ＬｏｗＦｒｅｑを受信したかどうかを判定する。受信している場合（ステップ３０１のＹｅｓ）、ｅＮＢは、ＵＥにおいてサポートされている周波数バンドのうち、３．８ＧＨｚ以下の上限値を持つ全ての周波数バンドで当該ＵＥが２５６ＱＡＭに対応していると判断する（ステップ３０２）。
【００４８】
ステップ３０２の後、もしくは、ステップ３０１の判定がＮｏの場合、ステップ３０３〜３０４の処理を、ＵＥにおいてサポートされている３．８ＧＨｚ以上の周波数バンド毎に繰り返し行う。
【００４９】
ステップ３０３において、ｅＮＢは、ＵＥからＵＥ−ＥＵＴＲＡ−Ｃａｐａｂｉｌｉｔｙで着目する周波数バンドに対応するｓｕｐｐｏｒｔｅｄＢＷ−Ｌｉｓｔ−２５６ＱＡＭ−ＨｉｇｈＦｒｅｑを受信したかどうかを判定する。当該ｓｕｐｐｏｒｔｅｄＢＷ−Ｌｉｓｔ−２５６ＱＡＭ−ＨｉｇｈＦｒｅｑを受信している場合（ステップ３０３のＹｅｓ）、ＵＥはＬｉｓｔで通知された帯域幅で２５６ＱＡＭに対応していると判断される（ステップ３０４）。ステップ３０４の後、もしくは、ステップ３０３の判定がＮｏの場合、次の周波数バンドに進み、ステップ３０３からの処理が行われる。
【００５０】
（装置構成）
次に、ユーザ装置ＵＥと基地局ｅＮＢの構成例を説明する。
【００５１】
＜ユーザ装置ＵＥ＞
図８に、本実施の形態におけるユーザ装置ＵＥの機能構成図を示す。図８に示すように、ユーザ装置ＵＥは、ＤＬ信号受信部１０１、ＵＬ信号送信部１０２、ＵＥ能力情報格納部１０３、ＵＥ能力情報通知制御部１０４を備える。図８は、ユーザ装置ＵＥにおいて本発明の実施の形態に特に関連する機能部のみを示すものであり、少なくともＬＴＥに準拠した動作を行うための図示しない機能も有するものである。また、図８に示す機能構成は一例に過ぎない。本実施の形態に係る動作を実行できるのであれば、機能区分や機能部の名称はどのようなものでもよい。
【００５２】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。ＤＬ信号受信部１０１とＵＬ信号送信部１０２はそれぞれ、パケットバッファを備え、少なくともレイヤ１（ＰＨＹ）及びレイヤ２（ＭＡＣ、ＲＬＣ、ＰＤＣＰ）の処理機能を含むことを想定している。ただし、これに限られるわけではない。
【００５３】
ＵＥ能力情報格納部１０３は、ユーザ装置ＵＥ自身がサポートしている２５６ＱＡＭに関する能力情報を含むＵＥ能力情報を格納する。ＵＥ能力情報は、ＣａｐａｂｉｌｉｔｙのＲＲＣメッセージで通知するパラメータの形式の情報であってもよいし、その他の形式の情報であってもよい。
【００５４】
ＵＥ能力情報通知制御部１０４は、ＵＥ能力情報格納部１０３から自身の能力情報を取得し、ＣａｐａｂｉｌｉｔｙのＲＲＣメッセージを作成し、ＵＬ信号送信部１０２から基地局ｅＮＢに通知する。当該能力情報には、サポートする周波数バンド等の情報に加えて、２５６ＱＡＭ対応能力情報が含まれる。ＵＥ能力情報通知制御部１０４は、例えば、実施例１もしくは実施例２で説明したパラメータを含むＣａｐａｂｉｌｉｔｙのＲＲＣメッセージを作成し、送信する。
【００５５】
なお、ユーザ装置ＵＥは、基地局とユーザ装置とを備える移動通信システムにおいて使用される前記ユーザ装置であって、前記ユーザ装置においてサポートされる１又は複数の周波数バンドを示す第１の能力情報、及び、当該ユーザ装置において所定の機能がサポートされていることを示す第２の能力情報を前記基地局に通知する能力情報通知部を備え、前記第２の能力情報は、前記第１の能力情報で示される前記１又は複数の周波数バンドのうち、所定の閾値よりも小さい上限値を持つ周波数バンドに対して前記所定の機能が前記ユーザ装置においてサポートされていることを示すように構成することとしてもよい。
【００５６】
＜基地局ｅＮＢ＞
図９に、本実施の形態における基地局ｅＮＢの機能構成図を示す。図９に示すように、基地局ｅＮＢは、ＤＬ信号送信部２０１、ＵＬ信号受信部２０２、ＵＥ能力情報格納部２０３、ＵＥ能力判定部２０４を有する。図９は、基地局ｅＮＢにおいて本発明の実施の形態に特に関連する機能部のみを示すものであり、少なくともＬＴＥに準拠した動作を行うための図示しない機能も有するものである。また、図９に示す機能構成は一例に過ぎない。本実施の形態に係る動作を実行できるのであれば、機能区分や機能部の名称はどのようなものでもよい。
【００５７】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。ＤＬ信号送信部２０１とＵＬ信号受信部２０２はそれぞれ、パケットバッファを備え、少なくともレイヤ１（ＰＨＹ）及びレイヤ２（ＭＡＣ、ＲＬＣ、ＰＤＣＰ）の処理機能を含むことを想定している。ただし、これに限られるわけではない。
【００５８】
ＵＥ能力情報格納部２０３は、ＵＥから受信する能力情報（ＣａｐａｂｉｌｉｔｙのＲＲＣメッセージで通知される情報）を格納する。特に本実施の形態では、ＵＥ能力情報格納部２０３に格納されている能力情報には、ＵＥ能力判定部２０４により判定された２５６ＱＡＭ対応能力情報が含まれる。
【００５９】
ＵＥ能力判定部２０４は、図３、図５、図７等を参照して説明したロジックを用いて、ＣａｐａｂｉｌｉｔｙのＲＲＣメッセージで通知された能力情報に基づいて、ＵＥの２５６ＱＡＭ対応能力を判定し、判定結果をＵＥ能力情報格納部２０３に格納する。なお、ＵＥ能力情報格納部２０３に格納された２５６ＱＡＭ対応能力情報は、例えば、該当するＵＥに対する下りデータのスケジューリングで使用される。
【００６０】
なお、基地局ｅＮＢは、基地局とユーザ装置とを備える移動通信システムにおいて使用される前記基地局であって、前記ユーザ装置から、当該ユーザ装置においてサポートされる１又は複数の周波数バンドを示す第１の能力情報、及び、当該ユーザ装置において所定の機能がサポートされていることを示す第２の能力情報を受信する受信部と、前記第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定部とを備えるように構成してもよい。
【００６１】
以上、説明したように、本実施の形態では、基地局とユーザ装置とを備える移動通信システムにおいて実行される能力情報通知方法であって、前記ユーザ装置が、当該ユーザ装置においてサポートされる１又は複数の周波数バンドを示す第１の能力情報、及び、当該ユーザ装置において所定の機能がサポートされていることを示す第２の能力情報を前記基地局に通知する通知ステップと、前記基地局が、前記第１の能力情報と前記第２の能力情報を受信し、当該第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定ステップとを備える能力情報通知方法が提供される。
【００６２】
上記の構成により、移動通信システムにおいて、ユーザ装置が、所定の機能についての能力情報を適切に基地局に通知することを可能とする技術が提供される。
【００６３】
前記ユーザ装置が前記所定の閾値よりも大きい上限値を持つ周波数バンドに対して前記所定の機能をサポートする場合に、前記通知ステップにおいて、前記ユーザ装置は、当該周波数バンドに対して前記所定の機能をサポートすることを示す第３の能力情報を前記基地局に通知することとしてもよい。この構成により、所定の閾値よりも大きい上限値を持つ周波数バンドについては、周波数バンド毎に所定の機能のサポート有無を通知することができる。
【００６４】
前記ユーザ装置が前記所定の閾値よりも大きい上限値を持つ周波数バンドにおける１つ又は複数の帯域幅に対して前記所定の機能をサポートする場合に、前記通知ステップにおいて、前記ユーザ装置は、当該周波数バンドにおける前記１つ又は複数の帯域幅に対して前記所定の機能をサポートすることを示す第３の能力情報を前記基地局に通知することとしてもよい。この構成により、所定の閾値よりも大きい上限値を持つ周波数バンドについては、（周波数バンド＋帯域幅）毎に所定の機能のサポート有無を通知することができる。
【００６５】
前記所定の機能は、例えば所定の変調方式である。また、前記所定の変調方式は、例えば下り通信における２５６ＱＡＭである。変調方式の実装難易度は、周波数バンドに応じて変わるので、前記所定の機能として２５６ＱＡＭ等の所定の変調方式を用いることにより、周波数バンドの違いによる実装の困難さを考慮した能力情報通知が可能となる。
【００６６】
前記所定の閾値は、例えば所定のバンドの周波数帯域の上限値である。また、当該所定のバンドはバンド４３である。このように所定の閾値として、バンド４３等の所定のバンドの周波数帯域の上限値を用いることで、適切な閾値の設定を行うことができる。
【００６７】
本実施の形態で説明したユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６８】
本実施の形態で説明した基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７０】
（第１項）
基地局とユーザ装置とを備える移動通信システムにおいて実行される能力情報通知方法であって、
前記ユーザ装置が、当該ユーザ装置においてサポートされる１又は複数の周波数バンドを示す第１の能力情報、及び、当該ユーザ装置において所定の機能がサポートされていることを示す第２の能力情報を前記基地局に通知する通知ステップと、
前記基地局が、前記第１の能力情報と前記第２の能力情報を受信し、当該第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定ステップと
を備えることを特徴とする能力情報通知方法。
（第２項）
前記ユーザ装置が前記所定の閾値よりも大きい上限値を持つ周波数バンドに対して前記所定の機能をサポートする場合に、前記通知ステップにおいて、前記ユーザ装置は、当該周波数バンドに対して前記所定の機能をサポートすることを示す第３の能力情報を前記基地局に通知する
ことを特徴とする第１項に記載の能力情報通知方法。
（第３項）
前記ユーザ装置が前記所定の閾値よりも大きい上限値を持つ周波数バンドにおける１つ又は複数の帯域幅に対して前記所定の機能をサポートする場合に、前記通知ステップにおいて、前記ユーザ装置は、当該周波数バンドにおける前記１つ又は複数の帯域幅に対して前記所定の機能をサポートすることを示す第３の能力情報を前記基地局に通知する
ことを特徴とする第１項に記載の能力情報通知方法。
（第４項）
前記所定の機能は、所定の変調方式であることを特徴とする第１項ないし第３項のうちいずれか１項に記載の能力情報通知方法。
（第５項）
前記所定の変調方式は、下り通信における２５６ＱＡＭであることを特徴とする第４項に記載の能力情報通知方法。
（第６項）
前記所定の閾値は、所定のバンドの周波数帯域の上限値であることを特徴とする第１項ないし第５項のうちいずれか１項に記載の能力情報通知方法。
（第７項）
前記所定のバンドはバンド４３であることを特徴とする第６項に記載の能力情報通知方法。
（第８項）
基地局とユーザ装置とを備える移動通信システムにおいて使用される前記ユーザ装置であって、
前記ユーザ装置においてサポートされる１又は複数の周波数バンドを示す第１の能力情報、及び、当該ユーザ装置において所定の機能がサポートされていることを示す第２の能力情報を前記基地局に通知する能力情報通知部を備え、
前記第２の能力情報は、前記第１の能力情報で示される前記１又は複数の周波数バンドのうち、所定の閾値よりも小さい上限値を持つ周波数バンドに対して前記所定の機能が前記ユーザ装置においてサポートされていることを示す
ことを特徴とするユーザ装置。
（第９項）
基地局とユーザ装置とを備える移動通信システムにおいて使用される前記基地局であって、
前記ユーザ装置から、当該ユーザ装置においてサポートされる１又は複数の周波数バンドを示す第１の能力情報、及び、当該ユーザ装置において所定の機能がサポートされていることを示す第２の能力情報を受信する受信部と、
前記第２の能力情報を受信したことに基づいて、前記第１の能力情報で示される前記１又は複数の周波数バンドのうち、所定の閾値よりも小さい上限値を持つ周波数バンドに対して前記所定の機能が前記ユーザ装置においてサポートされていると判定する能力判定部と
を備えることを特徴とする基地局。
本発明は上記実施形態に限定されず、本発明の精神から逸脱することなく、様々な変形例、修正例、代替例、置換例等が本発明に包含される。
【符号の説明】
【００７１】
ｅＮＢ  基地局
ＵＥ  ユーザ装置
１０１  ＤＬ信号受信部
１０２  ＵＬ信号送信部
１０３  ＵＥ能力情報格納部
１０４  ＵＥ能力情報通知制御部
２０１  ＤＬ信号送信部
２０２  ＵＬ信号受信部
２０３  ＵＥ能力情報格納部
２０４  ＵＥ能力判定部
【図１】
0006479426.tif 000002
【図２】
0006479426.tif 000003
【図３】
0006479426.tif 000004
【図４】
0006479426.tif 000005
【図５】
0006479426.tif 000006
【図６】
0006479426.tif 000007
【図７】
0006479426.tif 000008
【図８】
0006479426.tif 000009
【図９】
0006479426.tif 000010